【手続補正書】
【提出日】平成20年7月17日(2008.7.17)
【手続補正１】
【補正対象書類名】明細書
【補正対象項目名】特許請求の範囲
【補正方法】変更
【補正の内容】
【特許請求の範囲】
【請求項１】  歯を位置変えしかつ口腔環境に試薬を放出するシステムであって、該システムは、以下：
少なくとも３個の歯位置決め器具であって、ここで、該器具は、空洞を有する高分子シェルを含み、該シェルは、歯に取り外し可能に設置可能であり、ここで、連続シェルの該空洞は、１配列から次の配列まで歯を位置変えする形状にされている、高分子シェル；および
該器具を歯で所定位置にしたときに該口腔環境に該試薬を放出する手段であって、該器具の少なくとも一部に連結される、手段、
を備える、システム。
【請求項２】  前記放出手段が、前記試薬を含有する層を含み、該層が、前記器具の表面の少なくとも一部の上に形成されている、請求項１に記載のシステム。
【請求項３】  前記表面が、空洞表面である、請求項２に記載のシステム。
【請求項４】  前記表面が、外面である、請求項２に記載のシステム。
【請求項５】  前記層が、前記試薬から本質的になる、請求項２に記載のシステム。
【請求項６】  前記層が、キャリアまたは結合剤中またはその上に存在している前記試薬を含有する、請求項２に記載のシステム。
【請求項７】  前記試薬が、前記層にカプセル化されている、請求項２に記載のシステム。
【請求項８】  前記試薬が、高分子材料にマイクロカプセル化された該試薬を含有する、請求項６または７に記載のシステム。
【請求項９】  前記層が、速度制御物質を含有し、ここで、該速度制御物質が、前記試薬が該層から放出される速度を制御する、請求項７に記載のシステム。
【請求項１０】  前記速度制御物質が、高分子マトリックスを含有する、請求項９に記載のシステム。
【請求項１１】  前記試薬が、前記高分子マトリックスを通る拡散により、前記層から放出される、請求項１０に記載のシステム。
【請求項１２】  前記試薬が、前記高分子マトリックスの分解により、前記層から放出される、請求項１０に記載のシステム。
【請求項１３】  前記速度制御物質が、多孔質であり、そして前記試薬が、細孔からの溶出により、該物質から放出される、請求項９に記載のシステム。
【請求項１４】  前記高分子シェルの少なくともいくらかの少なくとも一部が、速度制御物質から形成され、ここで、該速度制御物質が、前記試薬が前記シェルから放出される速度を制御する、請求項１に記載のシステム。
【請求項１５】  前記速度制御物質が、高分子マトリックスを含有する、請求項１４に記載のシステム。
【請求項１６】  前記試薬が、前記高分子マトリックスを通る拡散により、前記層から放出される、請求項１５に記載のシステム。
【請求項１７】  前記速度制御物質が、多孔質であり、そして前記試薬が、細孔からの溶出により、該物質から放出される、請求項１４に記載のシステム。
【請求項１８】  前記放出手段が、歯を収容する前記空洞に加えて、前記シェルに形成されたレザバを含む、請求項１に記載のシステム。
【請求項１９】  さらに、前記レザバ上に配置された速度制御膜を含み、ここで、該速度制御膜が、前記試薬が該レザバから放出される速度を制御する、請求項１８に記載のシステム。
【請求項２０】  前記レザバが、放出される前記試薬を予め充填されている、請求項１９に記載のシステム。
【請求項２１】  前記レザバが、放出される前記試薬を補充され得る、請求項１９に記載のシステム。
【請求項２２】  前記試薬が、フッ化物、抗生物質、漂白物質、矯味矯臭剤および香料からなる群から選択される物質を含有する、請求項１に記載のシステム。
【請求項２３】  前記試薬が、前記群から選択される少なくとも２種の物質を含有する、請求項２２に記載のシステム。
【請求項２４】  前記物質が、酸性にしたリン酸フッ化物ゲル、中性フッ化ナトリウム、フッ化水素およびフッ化スズからなる群から選択されるフッ化物である、請求項２２に記載のシステム。
【請求項２５】  前記物質が、テトラサイクリンおよびクロルヘキシジンからなる群から選択される抗生物質である、請求項２２に記載のシステム。
【請求項２６】  前記物質が、過酸化カルバミドである、請求項２２に記載のシステム。
【請求項２７】  前記物質が、精油、天然矯味矯臭剤および人工矯味矯臭剤からなる群から選択される矯味矯臭剤または香料である、請求項２２に記載のシステム。
【請求項２８】  口腔器具であって、以下：
高分子シェルであって、該高分子シェルは、空洞を有し、該高分子シェルは、指状に配列された歯の鋳型に嵌る形状にされている、高分子シェル；および
該器具を歯で所定位置にしたときに該口腔環境に該試薬を放出する手段であって、該器具の少なくとも一部に連結される、手段、
を備える、口腔器具。
【請求項２９】  前記放出手段が、前記試薬を含有する層を含み、該層が、前記器具の表面の少なくとも一部の上に形成されている、請求項２８に記載の器具。
【請求項３０】  前記層が、前記試薬から本質的になる、請求項２９に記載の器具。
【請求項３１】  前記層が、キャリアまたは結合剤中またはその上に存在している前記試薬を含有する、請求項２９に記載の器具。
【請求項３２】  前記層が、該層にカプセル化された前記試薬を含有する、請求項２９に記載の器具。
【請求項３３】  前記層が、速度制御物質を含有し、ここで、該速度制御物質が、前記試薬が該層から放出される速度を制御する、請求項２９に記載の器具。
【請求項３４】  前記高分子シェルの少なくともいくらかの少なくとも一部が、速度制御物質から形成され、ここで、該速度制御物質が、前記試薬が前記シェルから放出される速度を制御する、請求項２８に記載の器具。
【請求項３５】  前記放出手段が、歯を収容する前記空洞に加えて、前記シェルに形成されたレザバを含む、請求項２８に記載の器具。
【請求項３６】  前記試薬が、フッ化物、抗生物質、漂白物質、矯味矯臭剤および香料からなる群から選択される物質を含有する、請求項２８に記載の器具。
【請求項３７】  前記試薬が、前記群から選択される少なくとも２種の物質を含有する、請求項３６に記載の器具。
【請求項３８】  口腔器具であって、以下：
高分子シェルであって、該高分子シェルは、空洞を有し、該高分子シェルは、歯に取り外し可能に設置可能である、高分子シェル；および
該シェル上またはその内にある物質であって、該物質は、環境の変化に応答して、該シェルの視覚的特徴を変える、物質、
を備える、口腔器具。
【請求項３９】  前記視覚的特徴が、色である、請求項３８に記載の口腔器具。
【請求項４０】  前記物質が、染料であり、該染料が、温度変化に応答して、色が変わる、請求項３８に記載の口腔器具。
【請求項４１】  歯を位置変えすると同時に患者の口腔環境に試薬を送達するシステムであって、該システムは、以下：
患者の歯に設置されるように構成された第一歯位置調節器具であって、ここで、該歯は、第一歯配列に移動する、第一歯位置調節器具；および
該歯を該第一歯配列に移動した後、患者の歯に設置されるように構成された第二歯位置調節器具であって、ここで、該歯は、第二歯配列に移動する、第二歯位置調節器具；
を備え、ここで、該試薬は、該器具が歯で所定位置にある間、該第一および第二歯位置調節器具の少なくとも１個から口腔環境へと放出される、システム。
【請求項４２】  前記器具を前記歯に設置する前に、前記試薬が前記第一または第二歯位置決め器具に装填される、請求項４１に記載のシステム。
【請求項４３】  前記器具を前記歯に設置する直前に、該器具にある歯収容空洞に前記試薬が入れられる、請求項４２に記載のシステム。
【請求項４４】  前記器具を前記歯に設置する直前に、該器具にある試薬放出レザバに前記試薬が入れられる、請求項４２に記載のシステム。
【請求項４５】  前記器具を前記歯に設置する直前に、前記試薬を含有する速度制御物質が該器具の表面に付着させられる、請求項４２に記載のシステム。
【請求項４６】  前記器具を前記歯に設置する直前に、該器具の上またはその中にある多孔質物質に、該試薬が吸収させられる、請求項４２に記載のシステム。
【請求項４７】  前記第一または第二歯位置調節器具が、前記歯が前記第一または第二歯配列の少なくとも近くに移動するまで、定期的に設置され除去されるように構成されており、該器具を該歯から除去している間であって該器具を該歯に戻す前、該試薬が補充されるために適している、請求項４１に記載のシステム。
【請求項４８】  前記器具が、前記器具を前記歯に戻すたびに、その直前に、前記試薬を補充される、請求項４７に記載のシステム。
【請求項４９】  前記第一および第二器具の各々が、前記歯に設置する前に、前記試薬を予め装填されている、請求項４１に記載のシステム。
【請求項５０】  歯を位置変えするための処方された治療計画に試薬送達を導入するシステムであって、該システムは、以下：
少なくとも３個の歯位置決め器具であって、ここで、該器具は、空洞を有する高分子シェルを含み、該器具は、歯に取り外し可能に設置可能であるように構成されており、ここで、連続シェルの該空洞は、該治療計画に従って、１配列から次の配列まで歯を位置変えする形状にされており、
少なくとも１個の器具が試薬に連結されるように構成されており、該試薬は、該器具を歯で所定位置にしたときに口腔環境に放出される、歯位置決め器具、
を備える、システム。
【請求項５１】  取り込まれた前記試薬が、層であり、そして該試薬を含む該層が、前記器具の表面の少なくとも一部に付着される、請求項５０に記載のシステム。
【請求項５２】  前記層が、前記試薬から本質的になり、そして該試薬が、前記表面に塗装、噴霧、浸漬または塗布されるために適切である、請求項５１に記載のシステム。
【請求項５３】  前記層が、キャリアまたは結合剤中またはその上に存在している前記試薬を含有する、請求項５１に記載のシステム。
【請求項５４】  前記層が、該層にカプセル化されている試薬を含む、請求項５１に記載のシステム。
【請求項５５】  前記層が、速度制御物質のシートを含み、ここで、該速度制御物質が、前記試薬が該層から放出される速度を制御する、請求項５４に記載のシステム。
【請求項５６】  前記シートが、接着剤を使って、前記表面に結合される、請求項５５に記載のシステム。
【請求項５７】  前記シートが、プレスばめにより、前記表面に貼り付けられる、請求項５５に記載のシステム。
【請求項５８】  前記シートが、前記器具の前記表面または前記歯または歯肉の表面に嵌るように適合された形状に前成形されている、請求項５５に記載のシステム。
【請求項５９】  歯に嵌る歯科器具と併用する試薬送達層であって、該試薬送達層は、以下：
該試薬をカプセル化する物質の前成形したシートであって、ここで、該形成は、少なくとも一部が該歯科器具の表面に嵌るように適合された形状を含む、シート、
を備える、試薬送達層。
【請求項６０】  前記物質が、速度制御物質を含有し、ここで、該速度制御物質が、前記試薬が該層から放出される速度を制御する、請求項５９に記載の試薬送達層。
【請求項６１】  前記速度制御物質が、高分子マトリックスを含有する、請求項６０に記載の試薬送達層。
【請求項６２】  前記試薬が、前記高分子マトリックスを通る拡散により、前記試薬送達層から放出される、請求項６１に記載の試薬送達層。
【請求項６３】  前記試薬が、フッ化物、抗生物質、漂白物質、矯味矯臭剤および香料からなる群から選択される物質を含有する、請求項５９に記載の試薬送達層。
【請求項６４】  さらに、接着剤層を含み、ここで、該接着剤層が、前記器具に前記試薬送達装置を結合する、請求項５９に記載の試薬送達層。
【請求項６５】  前記試薬をカプセル化する物質のシートが、患者の生歯の鋳型上で、エラストマー重合体シートと層状にされ、該物質のシートと該エラストマー重合体シートとが、該鋳型上で真空成形されて、再ポジショニング器具を形成する、請求項５９に記載の試薬送達層。
【請求項６６】  前記物質が前記歯科器具の高分子シェルに付着されている、請求項５９に記載の試薬送達層。
【請求項６７】  前記付着が取り外し可能である、請求項５９に記載の試薬送達層。
【請求項６８】  前記付着が永久的である、請求項５９に記載の試薬送達層。
【請求項６９】  前記試薬が、前記表面に塗装、噴霧、浸漬または塗布されるために適切である、請求項５９に記載の試薬送達層。
【請求項７０】  前記試薬が補充されるために適切である、請求項５９に記載の試薬送達層。
【手続補正２】
【補正対象書類名】明細書
【補正対象項目名】発明の名称
【補正方法】変更
【補正の内容】
【発明の名称】同時の歯の再ポジショニングおよび物質送達のための方法およびシステム